(57)【要約】【課題】時間を設定できる時計を提供すること。【解決手段】本発明によると、本発明の時計の時間設定装置は、時間設定レバー（６２）を有し、前記時間設定レバー（６２）は、結合装置（６４）を有し、前記結合装置（６４）の旋回は、巻き上げ心棒（２２）により、結合位置（Ｐｅ）と非結合位置（Ｐｄ）との間で制御される。前記結合位置（Ｐｅ）は、巻き上げ心棒（２２）の時間設定位置（Ｐｈ）に対応し、前記時間設定レバー（６２）は、出力ピニオン（７８）とプレート（９０）を有し、前記出力ピニオン（７８）は、結合位置（Ｐｅ）において、前記分針歯車（１６）と噛み合い、前記プレート（９０）は、前記時間設定レバー（６２）に旋回可能に搭載され、互いに噛み合う平行な軸（Ａ８、Ａ９）をそれぞれ有する第１と第２の反転歯車（９４、９６）を具備する。中間歯車（６０）は、前記巻き上げ心棒（２２）により時間設定位置（Ｐｈ）で回転駆動され、前記第１反転歯車（９４）と噛み合う。【選択図】  図２
2007322430.tif 000002
【特許請求の範囲】
【請求項１】
（Ａ）  アナログ表示手段（１４）を分針歯車（１６）を介して回転駆動する日の裏装置（１２）と、
（Ｂ）  巻き上げ心棒（２２）を有する時間設定装置と、
（Ｃ）  中間歯車（６０）と
を有する時計（１０）において、
前記時間設定装置は、時間設定位置（Ｐｈ）を占めた時に、前記分針歯車（１６）の回転を制御して時間設定動作を実行し、
前記時間設定装置（１８）は、時間設定レバー（６２）を有し、
前記時間設定レバー（６２）は、結合装置（６４）を有し、
前記結合装置（６４）の旋回は、巻き上げ心棒（２２）により、結合位置（Ｐｅ）と非結合位置（Ｐｄ）との間で制御され、
前記結合位置（Ｐｅ）は、巻き上げ心棒（２２）の時間設定位置（Ｐｈ）に対応し、
前記時間設定レバー（６２）は、出力ピニオン（７８）とプレート（９０）を有し、
前記出力ピニオン（７８）は、結合位置（Ｐｅ）において、前記分針歯車（１６）と噛み合い、
前記プレート（９０）は、前記時間設定レバー（６２）に旋回可能に搭載され、互いに噛み合う平行な軸（Ａ８、Ａ９）をそれぞれ有する第１と第２の反転歯車（９４、９６）を具備し、
前記中間歯車（６０）は、前記巻き上げ心棒（２２）により時間設定位置（Ｐｈ）で回転駆動され、前記第１反転歯車（９４）と噛み合い、
前記結合位置（Ｐｅ）において、
（ｉ）  前記巻き上げ心棒（２２）の第１回転方向においては、前記プレート（９０）は、第１角度位置を占め、この第１角度位置において、前記第１反転歯車（９４）が、出力ピニオン（７８）の軸（Ａ６）に配置された歯（７６）と噛み合い、その結果、前記分針歯車（１６）は、時間設定方向（Ｓｈ）と称する所定回転方向に回転駆動され、
（ｉｉ）  前記巻き上げ心棒（２２）の第２回転方向においては、前記プレート（９０）は、第２角度位置を占め、この第２角度位置において、前記第２反転歯車（９６）が、出力ピニオン（７８）の軸（Ａ６）に配置された歯（７６）と噛み合い、その結果、前記分針歯車（１６）は、前記時間設定方向（Ｓｈ）に回転駆動される
ことを特徴とする時計。
【請求項２】
前記出力ピニオン（７８）の軸（Ａ６）に配置された歯（７６）は、出力ピニオン（７８）に対し軸方向に離れて配置された入力ピニオン（７６）により形成される
ことを特徴とする請求項１記載の時計。
【請求項３】
前記プレート（９０）は、時間設定レバー（６２）に平行な面にわたって伸び、
前記反転歯車（９４、９６）は、前記時間設定レバー（６２）の底部面（９８）に配置され、
前記底部面（９８）は、前記時間設定レバー（６２）が配置される側とは反対側であり、      
前記プレート（９０）は、前記時間設定レバー（６２）に、プレート（９０）の上部面（１０２）上に配置された旋回軸（１００）により、旋回可能に搭載される
ことを特徴とする請求項１−２のいずれかに記載の時計。
【請求項４】
前記旋回軸（１００）は、前記時間設定レバー（６２）に形成された孔（１０４）を貫通してその軸方向に伸び、
前記旋回軸（１００）の上部軸端（１０６）は、時間設定レバー（６２）の上部表面（７２）上方に突出し、
前記旋回軸（１００）の上部軸端（１０６）は、環状溝（１０８）を有し、
フォーク（１１０）が、時間設定レバー（６２）の上部表面（７２）に固定され、
前記フォーク（１１０）のアーム（１１２、１１４）は、前記環状溝（１０８）内に収納されて、前記プレート（９０）を時間設定レバー（６２）上で軸方向に保持する
ことを特徴とする請求項１−３のいずれかに記載の時計。
【請求項５】
前記時間設定レバー（６２）の旋回軸（Ａ５）は、前記中間歯車（６０）の回転軸（Ａ５）と同一である
ことを特徴とする請求項１−４のいずれかに記載の時計。
【請求項６】
前記巻き上げ心棒（２２）は、同軸に配置された時間設定ピニオン（３８）を有し、
時間設定位置（Ｐｈ）において、時間設定ピニオン（３８）は、前記巻き上げ心棒（２２）に回転可能に結合され、前記時間設定歯車（５８）と噛み合い、
前記時間設定歯車（５８）は、前記中間歯車（６０）と噛み合う
ことを特徴とする請求項１−５のいずれかに記載の時計。
【請求項７】
前記巻き上げ心棒（２２）は、同軸に配置されたスライド・ピニオン（３０）を有し、
時間設定位置（Ｐｈ）において、前記スライド・ピニオン（３０）は、時間設定ピニオン（３８）の歯と噛み合い、前記時間設定ピニオン（３８）と巻き上げ心棒（２２）とを回転可能に結合する
ことを特徴とする請求項１−６のいずれかに記載の時計。
【請求項８】
前記時間設定装置（１８）は、前記巻き上げ心棒（２２）にヒンジ止めされた旋回する引出部品（２６）を有し、
前記巻き上げ心棒（２２）が時間設定位置（Ｐｈ）方向にスライドすると、前記引出部品（２６）の時間設定位置（Ｐｈ）方向への旋回を制御し、
前記引出部品（２６）が時間設定位置（Ｐｈ）方向へ旋回すると、前記スライド・ピニオン（３０）は、時間設定位置（Ｐｈ）方向へ、前記スライド・ピニオン（３０）と共働する駆動レバー（４８）を介して、スライドするのを制御する
ことを特徴とする請求項１−７のいずれかに記載の時計。
【請求項９】
前記時間設定装置（１８）は、巻き上げ心棒（２２）にヒンジ止めされた旋回する引出部品（２６）を有し、
前記巻き上げ心棒（２２）が時間設定位置（Ｐｈ）方向にスライドすると、前記引出部品（２６）の時間設定位置（Ｐｈ）方向への旋回を制御し、
前記引出部品（２６）が時間設定位置（Ｐｈ）方向へ旋回すると、前記時間設定レバー（６２）の結合位置（Ｐｅ）方向への旋回を制御する
ことを特徴とする請求項１−８のいずれかに記載の時計。
【発明の詳細な説明】
【技術分野】
【０００１】
本発明は、改良した時間設定装置を有する時計に関する。
【０００２】
本発明は、特に日の裏装置と時間設定装置とを有する時計に関する。日の裏装置は、分針歯車を介してアナログ表示装置を回転駆動する。時間設定装置は、巻き上げ心棒を有し、この巻き上げ心棒が時間設定位置にある時には、分針歯車の回転を制御して、時間設定動作を実行する。
【背景技術】
【０００３】
多くの複雑機構を有するムーブメントを搭載した時計においては、時間設定は、巻き上げ心棒の一方向回転（好ましくは時計回転方向）のみで実行できるようにするのが実用的である。反対方向に回転して時間設定することは、打鈴機構、特に永久カレンダ機構の部品の予期せぬ動きを引き起こし、ムーブメントの部品を破損することがある。ユーザは、時計と複雑機構が如何に動作するかを十分には理解していないために、間違った操作（例えば反対方向回転による時間設定）が、注意書きにもかかわらず、行われ、その結果、時計が故障し修理サービスセンタに持ち込まれることになる。
【０００４】
特許文献１の時間設定機構は、巻上げ歯車を有さず、回転ステムと結合手段とを有する。回転ステムの一部は、回転ステムの軸に平行な平面表面を有する。結合手段は、回転ステムの一部の上に搭載され、前記ステムに回転可能に接続され、分針歯車と直接結合する位置と前記分針歯車とは結合していない位置との間で移動でき、結合手段と分針歯車との間に中間歯車を無くしている。
【０００５】
【特許文献１】英国特許第１２４１９３６号明細書
【発明の開示】
【発明が解決しようとする課題】
【０００６】
本発明の目的は、前記の欠点を解決することであり、時計のユーザが、時計のムーブメントを損傷するリスク無しに、巻き上げ心棒をいずれの方向に回転しても、時間を設定できる時計を提供することである。
【課題を解決するための手段】
【０００７】
本発明は、かくして前述した種類の時計を提案する。この時計において、時間設定装置は、時間設定レバーを有し、この時間設定レバーは、結合装置を有し、前記結合装置の旋回は、巻き上げ心棒により、結合位置と非結合位置との間で制御され、結合位置は、巻き上げ心棒の時間設定位置に対応し、前記時間設定レバーは、出力ピニオンとプレートを有し、前記出力ピニオンは、結合位置において、分針歯車と噛み合い、前記プレートは、前記時間設定レバーに旋回可能に搭載され、互いに噛み合う平行な軸をそれぞれ有する第１と第２の反転歯車を具備し、中間歯車を有し、前記中間歯車は、前記巻き上げ心棒により時間設定位置で回転駆動され、前記第１反転歯車と噛み合い、前記結合位置において、
（ｉ）  前記巻き上げ心棒の第１回転方向においては、前記プレートは、第１角度位置を占め、この第１角度位置において、前記第１反転歯車が、出力ピニオンの軸に配置された歯と噛み合い、その結果、前記分針歯車は、時間設定方向と称する所定回転方向に回転駆動され、
（ｉｉ）  前記巻き上げ心棒の第２回転方向においては、前記プレートは、第２角度位置を占め、この第２角度位置において、前記第２反転歯車が、出力ピニオンの軸に配置された歯と噛み合い、その結果、前記分針歯車は、前記時間設定方向に回転駆動されることを特徴とする。
【０００８】
本発明の時計により、ユーザは巻き上げ心棒の回転方向に注意を払うことなく、時間設定が可能となる。本発明の時計によれば、ユーザが巻き上げ心棒をどちらの方向に回転しても、表示手段は常に一方向に回転することになり、時間設定の間、操作エラーを起こすことなく、且つ時計の使用が簡単にできるようになる。
【０００９】
本発明の別の特徴によると、前記出力ピニオンの軸に配置された歯は、出力ピニオンに対し軸方向に離れて配置された入力ピニオンにより形成される。これにより、スペース要件を最小にすることにより（広いスペースを必要とすることなく）、時間設定装置を時計の中に容易に組み込むことができる。
【００１０】
有利なことに、前記プレートは、時間設定レバーに平行な面にわたって伸び、前記反転歯車は、前記時間設定レバーの底部面に配置され、
前記底部面は、前記時間設定レバーが配置される側とは反対側であり、前記プレートは、前記時間設定レバーに、プレートの上部面上に配置された旋回軸により、旋回可能に搭載され、前記旋回軸は、前記時間設定レバーに形成された孔を貫通してその軸方向に伸び、前記旋回軸の上部軸端は、時間設定レバーの上部表面上方に突出し、前記旋回軸の上部軸端は、環状溝を有し、フォークが、時間設定レバーの上部表面に固定され、前記フォークのアームは、前記環状溝内に収納されて、前記プレートを時間設定レバー上で軸方向に保持する。かくして、簡単な回転システムが、最小数の部品で得られる。フォークを使用することにより、プレートは、回転（旋回）可能に複雑な形状の部品あるいはネジを必要とすることなく、固定される。かくして、結合手段の組み立てと分解が容易となる。
【００１１】
好ましくは、前記時間設定レバーの旋回軸は、前記中間歯車の回転軸と同一である。これにより、第１反転歯車の位置が、中間歯車に対し適切に調整できるようになる。
【００１２】
本発明の別の特徴によると、前記巻き上げ心棒は、同軸に配置された時間設定ピニオンを有し、時間設定位置において、時間設定ピニオンは、前記巻き上げ心棒に回転可能に結合され、前記時間設定歯車と噛み合い、前記時間設定歯車は、前記中間歯車と噛み合う。前記巻き上げ心棒は、同軸に配置されたスライド・ピニオンを有し、時間設定位置において、前記スライド・ピニオンは、時間設定ピニオンの歯と噛み合い、前記時間設定ピニオンと巻き上げ心棒とを回転可能に結合する。この時間設定機構は、特に軸方向にスロットを切った歯を使用することにより、より高い位置にある駆動結合装置が分針歯車まで通過し、スライド・ピニオンと時間設定ピニオンとを噛み合わせるために使用される歯の磨耗を最小にし、スライド・ピニオンと時間設定ピニオンとの間のスリップ（すべり）のリスクを取り除く。
【００１３】
好ましくは、前記時間設定装置は、前記巻き上げ心棒にヒンジ止めされた旋回する引出部品を有し、前記巻き上げ心棒が時間設定位置方向にスライドすると、前記引出部品の時間設定位置方向への旋回を制御し、前記引出部品が時間設定位置方向へ旋回すると、前記スライド・ピニオンは、時間設定位置方向へ、前記スライド・ピニオンと共働する駆動レバーを介して、スライドするのを制御し、前記引出部品が時間設定位置方向へ旋回すると、前記時間設定レバーの結合位置方向への旋回を制御する。この制御システムは、信頼性があり且つ組み立てやすいという利点がある。
【実施例】
【００１４】
以下の説明において、直交方向を示す符号Ｖ、Ｌ、Ｔは、それぞれ垂直方向、長手軸方向、横方向を表す。
【００１５】
図面において、歯車列の歯は、図面を単純化するため且つ理解を容易にするために必ずしも描いて（ギザギザにして）いない。
【００１６】
図１は、時計１０をフローチャートの形態で示す。時計１０は、機械式時計のムーブメントを組み込んだ腕時計である。このムーブメントは、日の裏装置１２を具備する。この日の裏装置１２が、アナログ表示手段１４（例、指針）を、分針歯車１６（図２）を介して、回転駆動する。
【００１７】
時計１０は、分針歯車１６と結合することにより、日の裏装置１２と共に動く時間設定装置１８を有する。時間設定装置１８により、アナログ表示手段１４で示される時間を変更する。時間設定装置１８は、手動制御部材（例、竜頭２０）で制御される。
【００１８】
時間設定装置１８の詳細を図２−４に示す。時間設定装置１８は、巻き上げ心棒２２を有する。巻き上げ心棒２２は、縦軸方向Ａ１に沿って内側から外側に（図２の左から右へ）スライドする。竜頭２０は、巻き上げ心棒２２の外側軸端２４に固定される。これにより、ユーザは、軸Ａ１回りの巻き上げ心棒２２の回転を制御し、且つ巻き上げ心棒２２の軸方向（軸Ａ１に沿った）スライド（平行移動）を制御する。
【００１９】
巻き上げ心棒２２は、少なくとも２カ所の軸方向位置を占める。すなわち、巻き上げ位置Ｐｒと称する中間位置と、時間設定位置Ｐｈと称する外側引き出し位置である。これら２つの位置である巻き上げ位置Ｐｒと時間設定位置Ｐｈは、図２、３にそれぞれ示す。これら２つの位置の機能を以下に説明する。
【００２０】
以下の説明において、旋回軸と回転軸は、特に断りのない限り、垂直方向であり、日の裏装置１２の軸方向に対応する。
本明細書において、用語「旋回」と「回転」とは、ほぼ同意で用いている。厳密には、「旋回」とは、例えば振り子が、軸を中心に３６０度未満の振れ角で振れる状態を指し、「回転」とは、その振り子が３６０度回転（旋回）する状態を指す。従って、両者は回転角の差でしかない。
【００２１】
引出部品２６の旋回は、巻き上げ心棒２２により制御される。引出部品２６は、自由端２８の反対側にある固定真Ａ２の周囲で旋回する。引出部品２６は、可動連結軸Ａ３を有する。可動連結軸Ａ３は、巻き上げ心棒２２上に配置され、巻き上げ心棒２２が軸方向にスライドすると、引出部品２６はそれと共に動く。可動連結軸Ａ３は、固定真Ａ２と引出部品２６の自由端２８の間に配置される。
【００２２】
スライド・ピニオン３０は、巻き上げ心棒２２と同軸で回転可能に取り付けられ、巻き上げ心棒２２上を、巻き上げ位置Ｐｒと時間設定位置Ｐｈとの間で、軸方向にスライドすることにより、ガイドされる。巻き上げ位置Ｐｒ（図２）においては、内側端３２は、巻き上げ心棒２２と同軸の巻き上げピニオン３４と噛み合う。時間設定位置Ｐｈ（図３）においては、その外側端３６は、巻き上げ心棒２２と同軸の時間設定ピニオン３８と噛み合う。スライド・ピニオン３０は、巻き上げピニオン３４と、非対称形状の歯を有する歯列を介して、噛み合う。
【００２３】
巻き上げピニオン３４と時間設定ピニオン３８は、巻き上げ心棒２２上で自由に回転できるように搭載される。スライド・ピニオン３０は、２つのピニオン３４、３８の一方あるいは他方を、巻き上げ心棒２２に回転可能に接続するために、用いられる。
【００２４】
本発明の一実施例によれば、スライド・ピニオン３０は、時間設定ピニオン３８と、軸方向にスロットが切られた歯を介して、噛み合う。歯４０の形状は、矩形である。各歯４０は、全体的に立方形状をしている。
【００２５】
スライド・ピニオン３０の中間部分に環状周辺溝４２が形成される。環状周辺溝４２は、駆動レバー４８に属するスワン・ネックの形状の駆動フィンガ４６の自由端４４を関節結合の形態で、受け入れる（係合する）。駆動レバー４８は、固定ピンＡ４の周囲で回転（旋回）する。駆動レバー４８は、ピン５２に適合した（を有する）制御アーム５０を有する。ピン５２は、弾性的に引かれ（動かされ）、引出部品２６の内側表面５４に、引出部品２６の自由端２８近傍で、当たる。駆動レバー４８は、弾力性のある舌上部材５６を有する。この舌上部材５６は、固定要素に当たって弾性変形を維持し、ピン５２を引出部品２６に当たるようにする。かくして、引出部品２６が時間設定位置Ｐｈの方向（反時計方向）に回転すると、駆動レバー４８は時計方向に回転する。この駆動レバー４８は、駆動フィンガ４６の手段で、外側にすなわち時間設定位置Ｐｈの方向に、スライド・ピニオン３０を駆動する。
【００２６】
時間設定ピニオン３８は、時間設定歯車５８と噛み合っている。時間設定歯車５８は、水平面で巻き上げ心棒２２の下を伸びる。時間設定歯車５８は、真Ａ５を有する中間歯車６０と噛み合う。
【００２７】
ここに示した実施例によれば、舌上部材５６が当たる固定部品は、中間歯車６０の真Ａ５で形成される。
【００２８】
本発明によれば、時間設定装置１８は、時間設定レバー６２を有する。時間設定レバー６２は、結合装置６４を具備する（図６）。時間設定レバー６２の真Ａ５の周囲での回転は、巻き上げ心棒２２により、非結合位置Ｐｄと結合位置Ｐｅとの間で、制御される。非結合位置Ｐｄと結合位置Ｐｅは、巻き上げ心棒２２の巻き上げ位置Ｐｒと時間設定位置Ｐｈに対応する。
【００２９】
時間設定レバー６２は、中間歯車６０の真Ａ５周囲に回転（旋回）可能に搭載される。ここに示した実施例によれば、時間設定レバー６２は、水平面に含まれる方向Ｄ１に沿って伸び、真Ａ５の両端で第１アーム６６と第２アーム６８とを有する。第１アーム６６は、巻き上げ心棒２２の側で伸びる。第２アーム６８は、巻き上げ心棒２２の反対側で伸びる。第２アーム６８は、その自由端で結合装置６４を具備する。
【００３０】
第１アーム６６の自由端は、ピン７０を有する。ピン７０は、レバー２４の上部表面７２上に配置される。ピン７０は、自由端２８が巻き上げ位置Ｐｒを占有した時に、引出部品２６の自由端２８の内側表面５４に当たるよう、弾性的に動く。
【００３１】
本発明の他の実施例（図示せず）によれば、ピン７０は、中間レバー上に配置することもでき、その回転は引出部品２６により制御される。この中間レバーは、時間設定レバー６２に当たり、時間設定レバー６２の結合位置Ｐｅ方向への回転を制御する。
【００３２】
結合装置６４は、軸Ａ６を有する駆動真７４を有する。この駆動真７４は、その底部端で入力ピニオン７６を、その上部端で出力ピニオン７８を具備する。出力ピニオン７８は、時間設定レバー６２が結合位置Ｐｅを占めたときに、分針歯車１６と噛み合う。２つのピニオン７６、７８は、駆動真７４に回転が結合される。
【００３３】
駆動真７４は、時間設定レバー６２に自由に回転できるよう搭載される。時間設定レバー６２は、底部アイレット８０を有する。この底部アイレット８０は、時間設定レバー６２の長手方向Ｄ１に対し直交する方向でずれ、時間設定レバー６２の面内に伸びて、駆動真７４の底部ベアリング８２を搭載する。支持片８４は、上部アイレット８６を有し、時間設定レバー６２の上部表面７２に固定され、駆動真７４の上部ベアリング８８を搭載する。
【００３４】
入力ピニオン７６は、底部アイレット８０の下側に配置され（突出し）、出力ピニオン７８は、上部アイレット８６の上側に配置され（突出す）る。この２つのピニオン７６、７８は、駆動真７４上で互いに軸方向Ａ６にずれて配置される。
【００３５】
結合装置６４は、プレート９０を有する。このプレート９０は、時間設定レバー６２の底部面９２上で軸Ａ７周囲に回転可能に搭載され、真Ａ８の第１反転歯車９４、真Ａ９の第２反転歯車９６を具備する。この第１反転歯車９４と第２反転歯車９６は、互いに噛み合い、第１反転歯車９４は中間歯車６０とも噛み合う。
【００３６】
結合位置において、中間歯車６０の回転方向（巻き上げ心棒２２の回転方向に依るが）に沿って、プレート９０は、第１角度位置（図３の位置に対応する）または第２角度位置（図４の位置に対応する）を占める。第１角度位置（図３）において、入力ピニオン７６と噛み合うのは、第２反転歯車９６である。第２角度位置（図４）において、入力ピニオン７６と噛み合うのは、第１反転歯車９４である。
【００３７】
入力ピニオン７６は、出力ピニオン７８を、第１反転歯車９４、９６の一方あるいは他方を介して、回転駆動する駆動歯列を形成する。
【００３８】
本発明の一実施例によれば、プレート９０は、時間設定レバー６２に平行な面全体に伸びる。反転歯車９４、９６は、プレート９０の底部面９８に配置される。プレート９０は、時間設定レバー６２に、上部面１０２上に配置された回転軸１００の手段により、回転可能に搭載される。回転軸１００は、時間設定レバー６２に形成された孔１０４を貫通して、軸方向（Ａ７）に伸び、かくして上部軸端１０６は、時間設定レバー６２の上部表面７２上に突出する。回転軸１００の上部軸端１０６は、環状溝１０８を有し、フォーク１１０が、時間設定レバー６２の上部表面７２に固定される。フォーク１１０のアーム１１２、１１４は、回転軸１００の環状溝１０８内に収納されて、プレート９０を時間設定レバー６２上で軸方向に保持する。
【００３９】
本発明による時計１０の時間設定装置１８の動作説明を、図２の巻き上げ位置Ｐｒから開始する。
【００４０】
巻き上げ位置Ｐｒにおいて、スライド・ピニオン３０は、巻き上げ心棒２２を巻き上げピニオン３４に回転を連結し、時計１０のムーブメントを巻けるようにする。この時は、時間設定ピニオン３８は、巻き上げ心棒２２に対し自由に回転できる状態にあり、時間設定レバー６２は非結合位置Ｐｄを占有し、その結果、出力ピニオン７８は、分針歯車１６から半径方向に離れている。
【００４１】
ユーザが時間を設定しようとする時は、ユーザは竜頭２０をつまみ、軸Ａ１方向に沿って、巻き上げ心棒２２を、時間設定位置Ｐｈの方向（外側）に向けてスライドする。この外側へのスライド動作により、巻き上げ心棒２２は、引出部品２６を図２で反時計方向に回転する。
【００４２】
駆動レバー４８のピン５２が、弾性的な舌上部材５６により引出部品２６に当たるよう動かされている状態にあるので、引出部品２６が反時計方向に回転することにより、駆動レバー４８は、時計方向に回転する。駆動フィンガ４６により、スライド・ピニオン３０は、軸方向Ａ１に沿って、時間設定位置Ｐｈにスライドして、時間設定ピニオン３８と噛み合う。
【００４３】
同時に、外側にスライドしている間、巻き上げ心棒２２により、時間設定レバー６２は、結合位置Ｐｅの方向に弾性要素１１６の影響により回転し、これにより、ピン７０を引出部品２６に当たるように引く。
【００４４】
時間設定位置Ｐｈと結合位置Ｐｅにおいて、ユーザは、アナログ表示手段１４の時間表示を設定できる。時間設定は、軸Ａ１の周囲に巻き上げ心棒２２を、竜頭２０により回転させることにより、行う。
【００４５】
巻き上げ心棒２２の第１回転方向において、時間設定ピニオン３８は、中間歯車６０を、時間設定歯車５８を介して、例えば図３で時計方向に駆動する。すると、第１反転歯車９４は、反時計方向に回転して、入力ピニオン７６に当たるよう動く、その結果、プレート９０は、第２角度位置（図４）を占有する。その後、第１反転歯車９４は、出力ピニオン７８を、入力ピニオン７６を介して時計方向に駆動する。これにより、分針歯車１６を時間設定方向Ｓｈ（図３では反時計方向）に回転する。
【００４６】
ユーザが巻き上げ心棒２２の回転方向を変えると、時間設定ピニオン３８は、中間歯車６０を反時計方向に駆動する。すると、第１反転歯車９４は、時計方向に回転し、中間歯車６０をロールオーバして、プレート９０をその第１角度位置に回転し、その位置で、第２反転歯車９６は入力ピニオン７６に当たるよう引かれる（動く）。第１反転歯車９４は、第２反転歯車９６を反時計方向に駆動する。第２反転歯車９６は、出力ピニオン７８を、入力ピニオン７６を介して、時計方向に回転駆動し、これにより、分針歯車１６を時間設定方向Ｓｈに駆動する。
【００４７】
かくして、ユーザが巻き上げ心棒２２をどちらの方向に回転させようとも、更に時間設定操作の間回転方向を変更した場合でも、分針歯車１６とアナログ表示部材は、同一方向に回転し、誤動作のリクスを回避できる。
【００４８】
ユーザが巻き上げ心棒２２を巻き上げ位置Ｐｒの方向に戻すよう押すと、時間設定装置１８の構成要素は、その最初の時間設定位置の前の状態に戻る。
【００４９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００５０】
【図１】本発明の時計の主要部品の関係を表すフローチャート図。
【図２】図１の時計の時間設定装置が巻き上げ位置にある状態を示す上面図。
【図３】時間設定装置が時間設定位置にあり、結合装置が第１角度位置にある時に、時間設定装置に適合した結合装置を表す図。
【図４】結合装置が第２角度位置にある状態を表す図３の詳細図。
【図５】図３の時間設定装置を表す側面図。
【図６】図３の結合装置を表す展開斜視図。
【符号の説明】
【００５１】
１０  時計
１２  日の裏装置
１４  アナログ表示手段
１６  分針歯車
１８  時間設定装置
２０  竜頭
２２  巻き上げ心棒
２４  外側軸端
２６  引出部品
２８  自由端
３０  スライド・ピニオン
３２  内側端
３４  巻き上げ心棒
３６  外側端
３８  時間設定ピニオン
４０  歯
４２  環状周辺溝
４４  自由端
４６  駆動フィンガ
４８  駆動レバー
５０  制御アーム
５２  ピン
５４  内側表面
５６  舌上部材
５８  時間設定歯車
６０  中間歯車
６２  時間設定レバー
６４  結合装置
６６  第１アーム
６８  第２アーム
７０  ピン
７２  上部表面
７４  駆動真
７６，７８  ピニオン
８０  底部アイレット
８２  底部ベアリング
８４  支持片
８６  上部アイレット
８８  上部ベアリング
９０  プレート
９２  底部面
９４  第１反転歯車
９６  第２反転歯車
９４，９６  反転歯車
９８  底部面
１００  旋回軸
１０２  上部面
１０４  孔
１０６  上部軸端
１０８  環状溝
１１０  フォーク
１１２，１１４  アーム
１１６  弾性要素
【図１】
2007322430.tif 000003
【図２】
2007322430.tif 000004
【図３】
2007322430.tif 000005
【図４】
2007322430.tif 000006
【図５】
2007322430.tif 000007
【図６】
2007322430.tif 000008